(57)【要約】【課題】パケット交換呼の発信と回線交換呼の着信が競合した場合、または回線交換呼の着信の際にＳＧＳＮの障害が発生した場合においても、移動局への回線交換呼の着信を可能とする。【解決手段】ＶＬＲ／ＭＳＣ１０１は、ＭＳ１０６への着信要求信号をＳＧＳＮ１０２に送信する着信要求送信部２０１と、着信要求信号を送信し所定期間の経過後にＭＳ１０６から呼び出し応答を受信していない場合に、着信要求信号の受信に応じてＳＧＳＮ１０２が応答を返信することを促すフラグを着信要求信号に付加した上で、着信要求信号をＳＧＳＮ１０２に再度送信する着信要求再送部２０３と、フラグを付加した着信要求信号を送信し所定期間の経過後にＳＧＳＮ１０２から応答を受信しない場合に、ＲＮＣ／ＢＴＳ１０７に対してＭＳ１０６を呼び出すためのページング信号を送信する着信処理部２０５を備える。【選択図】図１
2011049673.tif 000002
【特許請求の範囲】
【請求項１】
ゲートウェイノードから移動局への着信要求信号を受信するのに応じて、パケット交換呼処理ノード及び無線制御装置を介して着信処理を行う回線交換呼処理ノードにおいて、
前記着信要求信号を前記パケット交換呼処理ノードに送信する着信要求送信手段と、
前記着信要求送信手段により前記着信要求信号が送信された後、所定期間の経過後に当該着信要求信号に係る移動局から呼び出し応答を受信していない場合に、前記着信要求信号を前記パケット交換呼処理ノードに再度送信する着信要求再送信手段と、
を備え、
前記着信要求送信手段又は前記着信要求再送信手段は、前記着信要求信号の受信に応じて前記パケット交換呼処理ノードが前記回線交換呼処理ノードに対して応答を返信することを促す情報を付与して送信し、
さらに、
前記着信要求送信手段又は前記着信要求再送信手段により前記着信要求信号に前記情報を付与して送信された後、所定期間の経過後に前記パケット交換呼処理ノードから前記応答を受信しない場合に、前記無線制御装置に対して前記移動局を呼び出すためのページング信号を送信する着信処理手段を備えることを特徴とする回線交換呼処理ノード。
【請求項２】
前記着信要求送信手段により前記着信要求信号が送信されたときに起動する第１のタイマと、
前記着信要求送信手段又は前記着信要求再送信手段により前記情報が付与された着信要求信号が送信されたときに起動する第２のタイマと、
を備え、
前記着信要求再送信手段は、前記第１のタイマが満了したときに、前記移動局から呼び出し応答を受信していない場合に、前記着信要求信号を再送信し、
前記着信処理手段は、前記第２のタイマが満了したときに、前記パケット交換呼処理ノードからの応答を受信していない場合に、前記無線制御装置に前記ページング信号を送信することを特徴とする請求項１に記載の回線交換呼処理ノード。
【請求項３】
前記第２のタイマの設定時間は、前記第１のタイマのものより短いことを特徴とする請求項２に記載の回線交換呼処理ノード。
【請求項４】
ゲートウェイノードから移動局への着信要求信号を回線交換呼処理ノードから受信するのに応じて、無線制御装置を介して着信処理を行うパケット交換呼処理ノードにおいて、
前記回線交換呼処理ノードから受信した着信要求信号に、パケット交換呼処理ノードが前記回線交換呼処理ノードに対して応答を返信することを促す情報を付与されている場合に、回線交換呼処理ノードに対して前記応答を送信する応答送信手段を備えることを特徴とするパケット交換呼処理ノード。
【請求項５】
上記請求項１〜３のいずれか１項に記載の回線交換呼処理ノードと、上記請求項４に記載のパケット交換呼処理ノードとを備えることを特徴とする移動通信システム。
【請求項６】
回線交換呼処理ノードとパケット交換呼処理ノードとを備える移動通信システムにより実行される移動通信方法であって、
前記回線交換呼処理ノードの着信要求送信手段が、ゲートウェイノードから移動局への着信要求信号を受信するのに応じて、該着信要求信号を前記パケット交換呼処理ノードに送信する着信要求送信ステップと、
前記回線交換呼処理ノードの着信要求再送信手段が、前記着信要求送信ステップにおいて前記着信要求信号が送信された後、所定期間の経過後に当該着信要求信号に係る移動局から呼び出し応答を受信していない場合に、前記着信要求信号を前記パケット交換呼処理ノードに再度送信する着信要求再送信ステップと、
を含み、
前記着信要求送信ステップ又は前記着信要求再送信ステップにおいて、前記着信要求送信手段又は前記着信要求再送信手段は、前記着信要求信号の受信に応じて前記パケット交換呼処理ノードが前記回線交換呼処理ノードに対して応答を返信することを促す情報を付与して送信し、
前記パケット交換呼処理ノードの応答送信手段が、前記回線交換呼処理ノードから受信した着信要求信号に、前記情報を付与されている場合に、前記回線交換呼処理ノードに対して応答を送信する応答送信ステップと、
前記回線交換呼処理ノードの着信処理手段が、前記着信要求送信ステップ又は前記着信要求再送信ステップにおいて前記着信要求信号に前記情報を付与して送信された後、所定期間の経過後に前記パケット交換呼処理ノードから前記応答を受信しない場合に、前記移動局への着信処理を行う無線制御装置に対して前記移動局を呼び出すためのページング信号を送信するページング信号送信ステップと、
を含むことを特徴とする移動通信方法。
【発明の詳細な説明】
【技術分野】
【０００１】
本発明は、回線交換呼処理ノード、パケット交換呼処理ノード、移動通信システム、および移動通信方法に関する。
【背景技術】
【０００２】
従来、移動局ＭＳがパケット交換ネットワークへ位置登録を実施する際に、回線交換ネットワークに対しても併せて位置登録を実施する連結ネットワーク位置登録制御（以下「Combined位置登録制御」という）を行う移動通信システムが知られている（例えば特許文献１）。
【先行技術文献】
【特許文献】
【０００３】
【特許文献１】特開２００９−１０５９３９号公報
【発明の概要】
【発明が解決しようとする課題】
【０００４】
このような移動通信システム１００は、図９に示すように、回線交換呼処理ノードであるＶＬＲ／ＭＳＣ１０１、パケット交換呼処理ノードであるＳＧＳＮ１０２、回線交換呼をルーチングするゲートウェイノードであるＧＭＳＣ１０３、位置情報を制御するゲートウェイであるＧＭＬＣ１０４、パケット呼を制御するゲートウェイであるＧＧＳＮ１０５、ユーザが利用する移動局であるＭＳ１０６、ＶＬＲ／ＭＳＣ１０１及びＳＧＳＮ１０２とＭＳ１０６との間に存在する無線制御装置であるＲＮＣ／ＢＴＳ１０７、及びＶＬＲ／ＭＳＣ１０１とＳＧＳＮ１０２との間のインタフェースであるＧｓインタフェース１０８を含んで構成されている。ＭＳ１０６は、端末と、この端末を利用するユーザ（図９ではユーザＡ）を識別するためのＵＩＭとから構成される。また、図９では、個々のＶＬＲ／ＭＳＣ１０１がカバーする回線交換呼のサービスエリアをLocationArea１０９として示し、また、個々のＳＧＳＮ１０２がカバーするパケット交換呼のサービスエリアをRoutingArea１１０として示している。
【０００５】
この移動通信システム１００では、ＭＳ１０６がLocationArea１０９及びRoutingArea１１０に入ると、ＭＳ１０６は、そのサービスエリアでのサービスの利用を許可してもらうために、管理するネットワークに対して上述のCombined位置登録を実施する。具体的には、まず、ＭＳ１０６がＳＧＳＮ１０２に対して位置登録要求信号を送信する。ＭＳ１０６からの位置登録要求信号を受信したＳＧＳＮ１０２は、パケット呼のサービスを許容するならばＭＳ１０６を利用するユーザのユーザプロファイル（図９の「ユーザＡの加入者情報」）を保持すると共に、Ｇｓインタフェース１０８を介してＶＬＲ／ＭＳＣ１０１に対して回線交換側の位置登録要求信号を送信する。ＶＬＲ／ＭＳＣ１０１はＧｓインタフェース１０８を経由して回線交換側の位置登録要求を実施し、回線交換呼のサービスを許容するならばＭＳ１０６を利用するユーザのユーザプロファイル（図９の「ユーザＡの加入者情報」）を保持する。Combined位置登録が完了するとＶＬＲ／ＭＳＣ１０１とＳＧＳＮ１０２との間の連携が可能となるＧｓアソシエーションが確立する。
【０００６】
このようにＭＳ１０６がCombined位置登録されている状態で、ＭＳ１０６に対する回線交換呼の呼び出し要求信号をＧＭＳＣ１０３が受信し、回線交換系サービスが起動されＭＳ１０６に着信を行う場合、まずは回線交換系サービスのユーザプロファイルを管理するＶＬＲ／ＭＳＣ１０１に接続される（図９のＳ１）。ＶＬＲ／ＭＳＣ１０１は、Ｇｓアソシエーションが確立されているＳＧＳＮ１０２に対して着信要求信号を送信し、着信要求を行う（Ｓ２）。
【０００７】
ＳＧＳＮ１０２は、着信要求に該当するＭＳ１０６（ユーザＡ）の通信状態を確認し、配下のＲＮＣ／ＢＴＳ１０７に対してＭＳ１０６への着信を行うための信号を送信する（Ｓ３）。ＲＮＣ／ＢＴＳ１０７は該当するＭＳ１０６を呼び出す（Ｓ４）。このようにＭＳ１０６に対して回線交換呼（またはパケット交換呼）の着信があることを通知し、ＭＳ１０６を呼び出すための手順をページングといい、上記ステップＳ３におけるＳＧＳＮ１０２からＲＮＣ／ＢＴＳ１０７へ送信される信号をページング信号という。
【０００８】
ここで、ＳＧＳＮ１０２（またはＶＬＲ／ＭＳＣ１０１）からＲＮＣ／ＢＴＳ１０７へ送信されるページング信号には、Non Searching Indicationという情報が設定される。Non Searching Indication の設定値は、「searching」、「Non-searching」、またはNon Searching Indicationの「未設定」のいずれかである（詳細は３ＧＰＰ  ＴＳ２５．４１３に規定されている）。Non-searching Indication＝non-searchingの場合、ＲＮＣ／ＢＴＳ１０７は収容するすべてのエリアに対してページング（移動機（ＭＳ１０６）への呼び出し）を行う。
【０００９】
Non-searchingIndication＝searchingの場合、ＭＳ１０６について既に通信中の呼があることを意味するため（この判断はコアネットワーク（ＳＧＳＮ１０２またはＶＬＲ／ＭＳＣ１０１）で行う）、ＲＮＣ／ＢＴＳ１０７は接続中呼のＩＭＳＩ検索処理を行い、この検索処理の結果に基づく呼び出しを実行する。ここで、ＩＭＳＩとはInternational Mobile Subscriber Identityの略で、加入者識別子であり、ユーザを特定するキーとして利用している。
【００１０】
また、ＲＮＣ／ＢＴＳ１０７からＭＳ１０６への呼び出し信号は、ＭＳ１０６が通信中か否かに応じて２種類の信号を使い分ける。すなわち、Non-searching Indication＝non-searchingの場合、PAGING TYPE1という呼び出し信号をＭＳ１０６に対して送出し、一方、Non-searching Indication＝searchingの場合は、PAGING TYPE2という呼び出し信号をユーザ機器に対して送出する。
【００１１】
なお、コアネットワークで通信中呼があるか判断できない場合は、Non Searching Indicationを設定しない。Non Searching Indicationが設定されない時、ＲＮＣ／ＢＴＳ１０７はＩＭＳＩ検索を行い、該当のＭＳ１０６が通信中か否かを判断して、適切な端末呼び出しを行う。より詳細には、ＲＮＣ／ＢＴＳ１０７は、通信中のＩＭＳＩを管理しており、ＩＭＳＩ検索により該当のＭＳ１０６のＩＭＳＩを検出した場合に、このＭＳ１０６が通信中であると判断する。そして、ＲＮＣ／ＢＴＳ１０７は、ＭＳ１０６が通信中でないと判断した場合には、PAGING TYPE１の呼び出し信号をＭＳ１０６に対して送出する。また、ＭＳ１０６が通信中であると判断した場合には、PAGING TYPE２の呼び出し信号をＭＳ１０６に対して送出する。
【００１２】
図９の例では、ＭＳ１０６は通信状態ではなく、ＳＧＳＮ１０２もユーザＡ（ＭＳ１０６）の状態が未通信中であると認識しているため、ステップＳ３においてＳＧＳＮ１０２はＲＮＣ／ＢＴＳ１０７に対してNon-searching Indication＝non-searchingと設定されたページング信号を送信する。同様に、ステップＳ４において、ＲＮＣ／ＢＴＳ１０７はPAGING TYPE1の呼び出し信号をＭＳ１０６に送信する。
【００１３】
そして、ＲＮＣ／ＢＴＳ１０７から適切な呼び出し信号を受信して呼び出されたＭＳ１０６は、着信応答をＶＬＲ／ＭＳＣ１０１に返す（Ｓ５）。従来の移動通信システム１００では、このようにして回線交換系の着信処理が行われる。
【００１４】
上述のような従来の移動通信システム１００では、回線交換系サービスの着信処理を行う際に、ＳＧＳＮ１０２に何らかの障害が発生した場合には、ＳＧＳＮ１０２を経由してＲＮＣ／ＢＴＳ１０７からＭＳ１０６への呼び出しを実行することができず、着信不可となる。この場合、ＶＬＲ／ＭＳＣ１０１がＭＳ１０６から着信応答未受信を契機として、ＳＧＳＮ１０２を経由せずにＲＮＣ／ＢＴＳ１０７に直接ページング信号を送信する対応がとられる。
【００１５】
しかしながら、このような対応をとったとしても回線交換系サービスの着信が失敗する状況が考えられる。具体的には、ＳＧＳＮ１０２経由でＭＳ１０６へ回線交換呼の着信処理が行われている最中に移動局からパケット交換サービスの発信が実施され、パケット交換呼の発信と回線交換呼の着信が競合した場合が考えられる。
【００１６】
図１０に示すように、上述のステップＳ１〜Ｓ４の後に、呼び出し信号がＭＳ１０６に到達する間に、ＭＳ１０６はパケット系交換サービス発信を実施する（Ｓ６）。パケット発信中のユーザ機器（ＭＳ１０６）は、ＲＮＣ／ＢＴＳ１０７からの呼び出し信号がPAGING TYPE1 (非通信中)であるため、呼び出し信号に反応できず、着信は失敗する（Ｓ７）。
【００１７】
ＶＬＲ／ＭＳＣ１０１は、ＭＳ１０６より着信応答を未受信のため、ＳＧＳＮ１０２に何らかの障害が発生したものと判断し、自身でＲＮＣ／ＢＴＳ１０７に対して着信を実施すべく、ページング信号をＲＮＣ／ＢＴＳ１０７に送信する（Ｓ８）。
【００１８】
このとき、ＶＬＲ／ＭＳＣ１０１は、ＭＳ１０６が非通信中であると認識しており、また、ＳＧＳＮ１０２の障害によりＭＳ１０６のパケット通信も行われていないと考えられる。さらに、ＩＭＳＩ検索は計算負荷が大きく、ＲＮＣ／ＢＴＳ１０７の処理能力に影響するため、ＲＮＣ／ＢＴＳ１０７に送信するページング信号のNon Searching indicationを「未設定」とするのは好ましくない（そもそもCombined位置登録制御は、Non Searching indication「未設定」でのページングを抑制するための構成といえる）。このため、ＶＬＲ／ＭＳＣ１０１は、先発呼は存在しない（パケット通信は行われていない）という前提で、Non-searching Indication＝non-searchingと設定されたページング信号をＲＮＣ／ＢＴＳ１０７に送信する。
【００１９】
ＲＮＣ／ＢＴＳ１０７は、ＶＬＲ／ＭＳＣ１０１からNon-searching Indication＝non-searchingと設定されたページング信号を受信するのに応じて、ＭＳ１０６が非通信状態であるとしてPAGING TYPE1の呼び出し信号でＭＳ１０６を呼び出す。
【００２０】
この間に、ＭＳ１０６からのパケット発信呼がＳＧＳＮ１０２まで到達し、パケット通信状態になる（Ｓ９）。
【００２１】
ＲＮＣ／ＢＴＳ１０７からPAGING TYPE1の呼び出し信号を受信したＭＳ１０６は、パケット通信中であるため、非通信中として呼び出している呼び出し信号に反応できず、着信は失敗する（Ｓ１０）。そして、ＶＬＲ／ＭＳＣ１０１は、着信応答未受信のため、着信失敗として後処理（発信側への応答等）を実施する。
【００２２】
このように、従来の移動通信システムでは、パケット交換呼の発信と回線交換呼の着信が競合した場合における着信制御を実施することができないという問題があった。そして、この競合の問題と、回線交換呼の着信とＳＧＳＮ（パケット交換呼処理ノード）の障害発生が競合した場合とを併せて考慮した上で、回線交換呼の着信制御を行うことが望ましい。
【００２３】
本発明は、上記の問題を解決するためになされたものであり、パケット交換呼の発信と回線交換呼の着信が競合した場合、または回線交換呼の着信の際にパケット交換呼処理ノードの障害が発生した場合においても、移動局への回線交換呼の着信を可能とする回線交換呼処理ノード、パケット交換呼処理ノード、移動通信システム、および移動通信方法を提供することを目的とする。
【課題を解決するための手段】
【００２４】
上記課題を解決するため、本発明に係る回線交換呼処理ノードは、ゲートウェイノードから移動局への着信要求信号を受信するのに応じて、パケット交換呼処理ノード及び無線制御装置を介して着信処理を行う回線交換呼処理ノードにおいて、着信要求信号を前記パケット交換呼処理ノードに送信する着信要求送信手段と、着信要求送信手段により前記着信要求信号が送信された後、所定期間の経過後に当該着信要求信号に係る移動局から呼び出し応答を受信していない場合に、着信要求信号を前記パケット交換呼処理ノードに再度送信する着信要求再送信手段と、を備え、着信要求送信手段又は前記着信要求再送信手段は、着信要求信号の受信に応じてパケット交換呼処理ノードが回線交換呼処理ノードに対して応答を返信することを促す情報を付与して送信し、さらに、着信要求送信手段又は着信要求再送信手段により着信要求信号に前記情報を付与して送信された後、所定期間の経過後にパケット交換呼処理ノードから応答を受信しない場合に、無線制御装置に対して移動局を呼び出すためのページング信号を送信する着信処理手段を備えることを特徴とする。
【００２５】
同様に、上記課題を解決するため、本発明に係るパケット交換呼処理ノードは、ゲートウェイノードから移動局への着信要求信号を回線交換呼処理ノードから受信するのに応じて、無線制御装置を介して着信処理を行うパケット交換呼処理ノードにおいて、回線交換呼処理ノードから受信した着信要求信号に、パケット交換呼処理ノードが回線交換呼処理ノードに対して応答を返信することを促す情報を付与されている場合に、回線交換呼処理ノードに対して応答を送信する応答送信手段を備えることを特徴とする。
【００２６】
同様に、上記課題を解決するため、本発明に係る移動通信システムは、上述の回線交換呼処理ノードとパケット交換呼処理ノードとを備えることが好適である。
【００２７】
同様に、上記課題を解決するため、本発明に係る移動通信方法は、回線交換呼処理ノードとパケット交換呼処理ノードとを備える移動通信システムにより実行される移動通信方法であって、回線交換呼処理ノードの着信要求送信手段が、ゲートウェイノードから移動局への着信要求信号を受信するのに応じて、該着信要求信号を前記パケット交換呼処理ノードに送信する着信要求送信ステップと、回線交換呼処理ノードの着信要求再送信手段が、着信要求送信ステップにおいて着信要求信号が送信された後、所定期間の経過後に当該着信要求信号に係る移動局から呼び出し応答を受信していない場合に、着信要求信号をパケット交換呼処理ノードに再度送信する着信要求再送信ステップと、を含み、着信要求送信ステップ又は着信要求再送信ステップにおいて、着信要求送信手段又は着信要求再送信手段は、着信要求信号の受信に応じてパケット交換呼処理ノードが回線交換呼処理ノードに対して応答を返信することを促す情報を付与して送信し、パケット交換呼処理ノードの応答送信手段が、回線交換呼処理ノードから受信した着信要求信号に、情報を付与されている場合に、回線交換呼処理ノードに対して応答を送信する応答送信ステップと、回線交換呼処理ノードの着信処理手段が、着信要求送信ステップ又は着信要求再送信ステップにおいて着信要求信号に情報を付与して送信された後、所定期間の経過後に前記パケット交換呼処理ノードから前記応答を受信しない場合に、移動局への着信処理を行う無線制御装置に対して移動局を呼び出すためのページング信号を送信するページング信号送信ステップと、を含むことを特徴とする。
【００２８】
このような回線交換呼処理ノード、パケット交換呼処理ノード、移動通信システム、および移動通信方法によれば、パケット交換呼の発信と回線交換呼の着信が競合して移動局への着信に失敗した場合には、回線交換呼処理ノードが着信要求信号に係る移動局からの呼び出し応答を受信しないのを契機として、着信要求信号がパケット交換呼処理ノードに再度送信される。この再送された着信要求信号がパケット交換呼処理ノードに受信されたときには、移動局から発信されたパケット交換呼もパケット交換呼処理ノードに到達しており、パケット交換呼処理ノードは移動局が通信中であると移動局の通信状態の認識を改めた上で、適切なページング信号を無線制御装置に送信することができる。そして、無線制御装置はパケット通信中の移動局に対して呼び出しが可能となり、この結果、パケット交換呼の発信と回線交換呼の着信が競合した場合においても、移動局への回線交換呼の着信が可能となる。
【００２９】
また、回線交換呼処理ノードは、着信要求信号の受信に応じてパケット交換呼処理ノードが応答を返信することを促す情報を付与して送信し、パケット交換呼処理ノードからこの応答を受信しない場合に、無線制御装置に対して移動局を呼び出すためのページング信号を送信する。これにより、回線交換呼処理ノードは、パケット交換呼処理ノードからの応答の有無によりパケット交換呼処理ノードに障害が発生しているか否かを認識することができる。パケット交換呼処理ノードに障害が発生している場合には、パケット交換呼処理ノードを介した移動局への着信処理を中止し、無線制御装置のみを経由する着信処理に変更することができる。この結果、回線交換呼の着信の際にパケット交換呼処理ノードの障害が発生した場合においても、移動局への回線交換呼の着信が可能となる。
【００３０】
また、回線交換呼処理ノードは、着信要求送信手段により着信要求信号が送信されたときに起動する第１のタイマ手段と、着信要求送信手段又は着信要求再送信手段により情報が付与された着信要求信号が送信されたときに起動する第２のタイマ手段と、を備え、着信要求再送信手段は、第１のタイマが満了したときに、移動局から呼び出し応答を受信していない場合に、着信要求信号を再送信し、着信処理手段は、第２のタイマが満了したときに、パケット交換呼処理ノードからの応答を受信していない場合に、無線制御装置に前記ページング信号を送信することが好適である。
【００３１】
この構成により、着信要求信号をパケット交換呼処理ノードに再送信するタイミング、およびパケット交換呼処理ノードを経由した着信処理を中止し無線制御装置にページング信号を送信するタイミングを、第1のタイマ及び第２のタイマにより個別に設定することが可能となり、精度良くシステムの状態を識別し、適切な着信処理を行うことが可能となる。
【００３２】
また、第２のタイマの設定時間は、第１のタイマのものより短いことが好適である。この構成により、パケット交換呼処理ノードに障害が発生したとの判定を速やかに行うことができ、移動局への回線交換呼の着信を迅速に実現できる。
【発明の効果】
【００３３】
本発明に係る回線交換呼処理ノード、パケット交換呼処理ノード、移動通信システム、および移動通信方法によれば、パケット交換呼の発信と回線交換呼の着信が競合した場合、または回線交換呼の着信の際にパケット交換呼処理ノードの障害が発生した場合においても、移動局への回線交換呼の着信が可能となる。
【図面の簡単な説明】
【００３４】
【図１】本発明の一実施形態に係る移動通信システムのＶＬＲ／ＭＳＣ及びＳＧＳＮの機能ブロック図である。
【図２】ＶＬＲ／ＭＳＣ及びＳＧＳＮのハードウェア構成図である。
【図３】本実施形態に係る移動通信システムにおいて、パケット交換呼の発信と回線交換呼の着信が競合した場合に実行される処理を示すシーケンス図である。
【図４】本実施形態に係る移動通信システムにおいて、パケット交換呼の発信と回線交換呼の着信が競合した場合に実行される処理を示すシーケンス図である。
【図５】図３及び４に示す着信処理の動作を示す図である。
【図６】本実施形態に係る移動通信システムにおいて、回線交換呼の着信とＳＧＳＮの障害発生が競合した場合に実行される処理を示すシーケンス図である。
【図７】本実施形態に係る移動通信システムにおいて、回線交換呼の着信とＳＧＳＮの障害発生が競合した場合に実行される処理を示すシーケンス図である。
【図８】図６及び７に示す着信処理の動作を示す図である。
【図９】従来の移動通信システムの構成及びこの移動通信システムにおける回線交換呼の着信処理の動作を示す図である。
【図１０】従来の移動通信システムでの回線交換呼の着信処理において着信不可となる状態を示す図である。
【発明を実施するための形態】
【００３５】
以下、図面を参照しながら本発明の実施形態を詳細に説明する。なお、図面の説明において同一又は同等の要素には同一の符号を付し、重複する説明を省略する。
【００３６】
図１は、本実施形態に係る移動通信システム１００のうちＶＬＲ／ＭＳＣ１０１及びＳＧＳＮ１０２の機能ブロック図である。本実施形態に係る移動通信システム１００の全体構成は、図９に示した従来の移動通信システム１００の全体構成と同一であり、図１に示すようにＶＬＲ／ＭＳＣ１０１及びＳＧＳＮ１０２に新たな機能を追加したものである。以下、本実施形態に係る移動通信システムの構成について、従来の移動通信システムの構成との相違点を主として説明する。
【００３７】
本実施形態に係るＶＬＲ／ＭＳＣ１０１は、ＳＧＳＮ１０２へ送信された着信要求に応じた呼び出し応答がＭＳ１０６から受信されない場合に、ＳＧＳＮ１０２が着信要求を受信したことを示す着信要求応答を返送する旨を指示するためのフラグを付加した上で、ＳＧＳＮ１０２に着信要求を再送するよう構成されている。このような機能に関して、図１に示すように、ＶＬＲ／ＭＳＣ１０１は、着信要求送信部（着信要求送信手段）２０１、第１タイマ２０２、着信要求再送部（着信要求再送信手段）２０３、第２タイマ２０４、及び着信処理部（着信処理手段）２０５を含んで構成されている。
【００３８】
着信要求送信部２０１は、ＧＭＳＣ１０３より回線交換呼の呼び出し要求を受信するのに応じて、着信要求信号をＳＧＳＮ１０２に送信する。また、着信要求送信部２０１は、着信要求送信と同時に第１タイマ２０２を起動させ、第１タイマ２０２が満了するまでにＭＳ１０６から呼び出し応答を受信しない場合には、この旨を着信要求再送部２０３に送信する。
【００３９】
なお、着信要求送信部２０１は、回線交換呼の呼び出し要求の受信に応じて、Ｇｓアソシエーションが確立中か否かを確認する。そして、Ｇｓアソシエーションが確立中の場合には、上述のとおり着信要求信号をＳＧＳＮ１０２に送信し、一方、Ｇｓアソシエーションが未確立の場合には、ＲＮＣ／ＢＴＳ１０７に対して回線交換呼び出し（ページング）を行う旨を着信処理部２０５に送信する。
【００４０】
第1タイマ２０２は、上述のとおり着信要求送信部２０１からの指示に応じて着信要求送信と同時に起動されるタイマ機能である。具体的には、ＭＳ１０６からの応答待ちタイマであり、ＳＧＳＮ１０２への着信要求信号の送信時からＭＳ１０６からの呼び出し応答信号の受信までの所要時間を計数する。第1タイマ２０２は、従来技術のＴ３３１３タイマを適用可能である。
【００４１】
着信要求再送部２０３は、第１タイマ２０２が満了してもＭＳ１０６から呼び出し応答を受信しなかった場合に、着信要求をＳＧＳＮ１０２に再送する。着信要求再送部２０３は、ＳＧＳＮ１０２がこの着信要求の受信に応じて着信要求応答を返すことを示すフラグを付加した上で、着信要求をＳＧＳＮ１０２に送信する。
【００４２】
また、着信要求再送部２０３は、着信要求送信と同時に第２タイマ２０４を起動させ、第２タイマ２０４が満了するまでにＳＧＳＮ１０２から着信要求応答を受信しない場合には、この旨を着信処理部２０５に送信する。
【００４３】
なお、着信要求再送部２０３は、着信要求送信と同時に第１タイマ２０４も起動させ、第２タイマ満了前に着信要求応答をＳＧＳＮ１０２から受信し、かつ第１タイマ２０２が満了するまでにＭＳ１０６から呼び出し応答を受信しない場合には、再度、着信要求をＳＧＳＮ１０２に送信してもよい。
【００４４】
第２タイマ２０４は、上述のとおり着信要求再送部２０３からの指示に応じて着信要求送信と同時に起動されるタイマ機能である。具体的には、ＳＧＳＮ１０２からの応答待ちタイマであり、ＳＧＳＮ１０２への着信要求信号の送信時からＳＧＳＮ１０２からの着信要求応答信号の受信時までの所要時間を計数する。第２タイマ２０４の設定時間は、第１タイマ２０２のものより短く設定され、ＳＧＳＮ１０２の障害を迅速に把握することができるよう構成されるのが好ましい。
【００４５】
着信処理部２０５は、第２タイマ２０４が満了してもＳＧＳＮ１０２から着信要求応答が返送されなかった場合に、ＲＮＣ／ＢＴＳ１０７に対して自ら着信を実施する。着信処理部２０５は、Non-searching Indicationを未設定とされたページング信号をＲＮＣ／ＢＴＳ１０７に送信する。
【００４６】
本実施形態に係るＳＧＳＮ１０２は、ＶＬＲ／ＭＳＣ１０１より受信した着信要求にフラグが付されている場合に、着信要求応答を返送するよう構成されている。このような機能に関して、図１に示すように、ＳＧＳＮ１０２は、着信要求受信部３０１、着信要求応答送信部（応答送信手段）３０２、及び着信処理部３０３を含んで構成されている。
【００４７】
着信要求受信部３０１は、ＶＬＲ／ＭＳＣ１０１より着信要求を受信すると、その旨を着信処理部３０３に送信する。また、着信要求受信部３０１は、受信した着信要求にフラグが付いているか否かを確認し、フラグが付加されていた場合には、この旨を着信要求応答送信部３０２に送信する。
【００４８】
着信要求応答送信部３０２は、ＶＬＲ／ＭＳＣ１０１より受信した着信応答にフラグが付加されていた場合に、ＶＬＲ／ＭＳＣ１０１に対して着信要求応答を送信する。
【００４９】
着信処理部３０３は、着信要求に応じて、この着信要求に関するユーザ（ＭＳ１０６）について、パケット通信有無など現在の通信状態を確認し、通信状態にに応じてNon-searching Indicationを設定してページング信号をＲＮＣ／ＢＴＳ１０７に送信する。
【００５０】
図２は、ＶＬＲ／ＭＳＣ１０１及びＳＧＳＮ１０２のハードウェア構成図である。ＶＬＲ／ＭＳＣ１０１及びＳＧＳＮ１０２は、物理的には、ＣＰＵ（Central Processing Unit）１１１、主記憶装置であるＲＡＭ（Random Access Memory）１１２及びＲＯＭ（Read Only Memory）１１３、ハードディスク装置等の補助記憶装置１１４、入力デバイスである入力キー等の入力装置１１５、ディスプレイ等の出力装置１１６、ネットワークカード等のデータ送受信デバイスである通信モジュール１１７などを有するコンピュータとして構成されている。図１において説明したＶＬＲ／ＭＳＣ１０１及びＳＧＳＮ１０２の各機能は、図２に示すＣＰＵ１１１、ＲＡＭ１１２等のハードウェア上に所定のコンピュータソフトウェアを読み込ませることにより、ＣＰＵ１１１の制御のもとで入力装置１１５、出力装置１１６、通信モジュール１１７を動作させるとともに、ＲＡＭ１１２や補助記憶装置１１４におけるデータの読み出し及び書き込みを行うことで実現される。
【００５１】
次に、図３〜８を参照して、本実施形態の移動通信システム１００において実行される処理を説明すると共に、本実施形態に係る移動通信方法について説明する。本実施形態では、移動通信システム１００は、パケット交換呼の発信と回線交換呼の着信が競合した場合、または回線交換呼の着信の際にＳＧＳＮ１０２（パケット交換呼処理ノード）の障害が発生した場合において、ＭＳ１０６への回線交換呼を確立できるよう着信処理を行う。なお、これらの処理の前提として、ＭＳ１０６は、ＶＬＲ／ＭＳＣ１０１が管理するLocationArea１０９及びＳＧＳＮ１０２が管理するRoutingArea１１０にCombined位置登録されている。
【００５２】
まず、図３〜５を参照して、パケット交換呼の発信と回線交換呼の着信が競合した場合に移動通信システム１００において実行される処理を説明する。図３及び４は、この処理を示すシーケンス図であり、図５は、図３及び４に示す着信処理の動作を示す図である。
【００５３】
図３に示すように、まず、ＭＳ１０６に対する回線交換呼の呼び出し要求信号をＧＭＳＣ１０３が受信すると、ＧＭＳＣ１０３により、この回線交換呼の呼び出し要求がＶＬＲ／ＭＳＣ１０１に送信される（Ｓ１０１）。ＶＬＲ／ＭＳＣ１０１において、この呼び出し要求信号の受信に応じて、着信要求送信部２０１により、この呼び出し要求に関するＭＳ１０６のユーザの契約状態、サービス提供状況などが確認され、ＭＳ１０６が回線交換系サービスを利用可能か否かが判定される（Ｓ１０２）。ＭＳ１０６が回線交換系サービスを利用可能であると判定された場合には、ステップＳ１０３に移行する。ＭＳ１０６が回線交換系サービスを利用不可と判定された場合には、この回線交換呼の呼び出し要求に対するエラー応答を呼び出し要求の送信元に返して処理を終了する（Ｓ１０４）。
【００５４】
続いて、着信要求送信部２０１により、ＭＳ１０６がCombined位置登録済みであり、Ｇｓアソシエーション確立中か否かが判定される（Ｓ１０３）。Ｇｓアソシエーションが確立中ならばステップＳ１０５に移行する。Ｇｓアソシエーションが未確立ならば、ＶＬＲ／ＭＳＣ１０１（着信処理部２０５）がＲＮＣ／ＢＴＳ１０７に対して回線交換呼び出し（ページング）を行う（Ｓ１０６）。なお、ステップＳ１０６は、従来の回線交換系の着信処理なので、説明を省略する。
【００５５】
そして、着信要求送信部２０１により、Ｇｓアソシエーションが確立しているＳＧＳＮ１０２に対して着信要求信号が送信され（Ｓ１０５：着信要求送信ステップ）、この送信処理と同時に、ＳＧＳＮ１０２への着信要求信号の送信時からＭＳ１０６からの呼び出し応答信号の受信までの所要時間を計数するための第１タイマ（Ｔ３３１３タイマ）２０２が起動される（Ｓ１０７）。
【００５６】
次に、ＳＧＳＮ１０２において、着信要求受信部３０１により、ＶＬＲ／ＭＳＣ１０１から着信要求信号が受信されると、この着信要求信号が着信処理部３０３に送信される。着信処理部３０３により、着信要求信号の受信に応じて、この着信要求に該当するＭＳ１０６がパケット通信中か否かが確認される（Ｓ１０８）。パケット通信中でない（未通信）の場合には、着信処理部３０３により、移動機呼び出し（ページング）が行われる、すなわちNon-searching Indication＝non-searchingと設定されたページング信号が、ＲＮＣ／ＢＴＳ１０７に送信される（Ｓ１０９）。
【００５７】
パケット通信中である場合には、パケット通信中としてＭＳ１０６の呼び出し（ページング）が行われる、すなわち、Non-searching Indication＝searchingと設定されたページング信号が、ＲＮＣ／ＢＴＳ１０７に送信される（Ｓ１１０）。このときＭＳ１０６はパケット通信中であり、ステップＳ１１０に移行した場合にはＳＧＳＮ１０２の認識とＭＳ１０６の実際の状態が一致していることとなる。このシーケンス図は、上述のとおりＳＧＳＮ１０２がＭＳ１０６の通信状態を「未通信中」と認識しており、実際にはＭＳ１０６が「通信中」である場合の着信処理に関するものなので、ステップＳ１１０以降の処理の説明は省略する。
【００５８】
次に、ＲＮＣ／ＢＴＳ１０７により、ステップＳ１０９のページング信号の受信に応じて、このページング信号のNon-searching Indicationの設定値（non-searching）に対応するPAGING TYPE1の呼び出し信号が、ＭＳ１０６に対して送出される（Ｓ１１２）。このときＭＳ１０６は、パケット系交換サービスの発信を実施しており（Ｓ１１１）パケット発信中である。一方、ＲＮＣ／ＢＴＳ１０７からの呼び出し信号はPAGING TYPE1 (非通信中)である。このため、ＭＳ１０６は、呼び出し信号の種類が実際の自機の通信状態と異なり、呼び出し信号に反応できないため、着信は失敗する（Ｓ１１３）。
【００５９】
ステップＳ１１３の着信失敗により、ＭＳ１０６からＶＬＲ／ＭＳＣ１０１へ呼び出し応答が送信されないため、ＶＬＲ／ＭＳＣ１０１において、ステップＳ１０７で起動した第１タイマ２０２が満了してタイムアウトする（Ｓ１１４）。着信要求送信部２０１により、着信要求をＳＧＳＮ１０２に送信してから所定時間（第１タイマ設定時間）が経過した後でも、着信処理が完了したことを示す呼び出し応答をＭＳ１０６から受信できず、何らかの理由で着信が失敗したものと判断され、着信要求再送部２０３にその旨が送信される。そして、着信要求再送部２０３により、着信要求信号に、ＳＧＳＮ１０２がこの着信要求の受信に応じて着信要求応答を返すことを示すフラグが付加され（Ｓ１１５）、このフラグが付加された着信要求信号がＳＧＳＮ１０２に送信される（Ｓ１１６：着信要求再送信ステップ）。
【００６０】
また、図４に示すように、ステップＳ１１６の送信処理と同時に、第１タイマ２０２が起動される（Ｓ１１７）と共に、ＳＧＳＮ１０２への着信要求信号の送信時からＳＧＳＮ１０２からの着信要求応答信号の受信時までの所要時間を計数するための第２タイマ２０４が起動される（Ｓ１１８）。
【００６１】
また、ステップＳ１１１においてＭＳ１０６が発信したパケット交換系サービスのパケット発信呼がＳＧＳＮ１０２に到達し（Ｓ１１９）、ＳＧＳＮ１０２のユーザプロファイルに保持されるＭＳ１０６のユーザＡの加入者情報が更新され、ＭＳ１０６の状態が「非通信中」から「パケット通信中」に変更される（Ｓ１２０）。
【００６２】
次に、ＳＧＳＮ１０２において、着信要求受信部３０１により、ステップＳ１１６でＶＬＲ／ＭＳＣ１０１から送信された着信要求信号が受信されると、この着信要求信号にフラグが付加されているか否かが確認される（Ｓ１２１）。フラグが付加されている場合には、その旨が着信要求応答送信部３０２に送信され、着信要求応答送信部３０２により、ＳＧＳＮ１０２が着信要求を受信した旨を示す着信要求応答信号が、ＶＬＲ／ＭＳＣ１０１に送信される（Ｓ１２２：応答送信ステップ）。そして、ＶＬＲ／ＭＳＣ１０１において、着信要求応答信号を受信した場合には、着信要求再送部２０３により第２タイマが停止される（Ｓ１２３）。フラグが付加されていない場合にはステップＳ１２４に移行する。なお、ステップＳ１２１〜Ｓ１２３の処理は、ステップＳ１０５の着信要求受信時にも実施されるものとする。ステップＳ１０５の着信要求を受信した際には、この着信要求にフラグが付加されていないので、何の処理も行われずにステップＳ１０８に移行している。
【００６３】
続いて、ＳＧＳＮ１０２において、着信処理部３０３により、ステップＳ１１６で受信した着信要求に該当するＭＳ１０６がパケット通信中か否かが確認される（Ｓ１２４）。ここで、ＳＧＳＮ１０２はステップＳ１２０においてＭＳ１０６がパケット通信中であると認識しているので、パケット通信中としてＭＳ１０６の移動機呼び出し（ページング）が行われる、すなわち、Non-searching Indication＝searchingと設定されたページング信号が、ＲＮＣ／ＢＴＳ１０７に送信される（Ｓ１２５）。パケット通信中でない（未通信）と判定された場合にはパケット非通信中として移動機呼び出しを行う（Ｓ１２６）。
【００６４】
次に、ＲＮＣ／ＢＴＳ１０７により、ステップＳ１２５のページング信号の受信に応じて、このページング信号のNon-searching Indicationの設定値がsearchingであるのに応じて、ＩＭＳＩ検索が実施され（Ｓ１２７）、呼び出し対象のＭＳ１０６（ユーザＡ）が特定される。ここで、ＩＭＳＩ（International Mobile Subscriber Identity）とは加入者識別子であり、ユーザを特定するキーとして利用される。そして、ページング信号のNon-searching Indicationの設定値（searching）に対応するPAGING TYPE2の呼び出し信号が、ＭＳ１０６に対して送出される（Ｓ１２８）。
【００６５】
ＭＳ１０６では、パケット通信中であり、PAGING TYPE2の呼び出し信号に対応可能であるので、呼び出し応答信号がＶＬＲ／ＭＳＣ１０１に送信され（Ｓ１２９）、着信処理が継続される（Ｓ１３０）。
【００６６】
ＶＬＲ／ＭＳＣ１０１では、ＭＳ１０６より呼び出し応答信号を受信するのに応じて、着信要求再送部２０３により第１タイマが停止され（Ｓ１３１）、着信処理が継続される（Ｓ１３２）。
【００６７】
なお、ＶＬＲ／ＭＳＣ１０１により、ステップＳ１２２の着信要求応答が第２タイマの設定時間内に受信され、かつ、ステップＳ１２９の呼び出し応答が第1タイマの設定時間内に受信されなかった場合には、ＶＬＲ／ＭＳＣ１０１の着信要求送信部２０１が着信要求を再度ＳＧＳＮ１０２に送信するか、または着信要求再送部２０３がフラグ付きの着信要求をＳＧＳＮ１０２に再送信するよう構成してもよい。
【００６８】
ここで、図５に示す本実施形態の着信処理を、図１０を示して上述した従来の着信失敗の状況と比較する。図１０の従来手法では、ＶＬＲ／ＭＳＣ１０１が、ＳＧＳＮ１０２へ着信要求を送信した（Ｓ２）時点から、所定時間が経過してもＭＳ１０６から呼び出し応答を受信しない場合に、ＶＬＲ／ＭＳＣ１０１が直接ＲＮＣ／ＢＴＳ１０７にページング信号を送信してＭＳＣ１０６の呼び出しを行っている。これに対し、本実施形態では、上述の場合に、ＶＬＲ／ＭＳＣ１０１が再度ＳＧＳＮに着信要求信号を再送する（図３及び図５のＳ１１６）。これにより、ＳＧＳＮ１０２がＭＳ１０６の最新の通信状態を反映したページング信号を送信することができ（図３及び図５のＳ１２５）、ＭＳ１０６への着信処理を実行することが可能となる。
【００６９】
次に、図６〜８を参照して、回線交換呼の着信の際にＳＧＳＮ１０２（パケット交換呼処理ノード）の障害が発生した場合に移動通信システム１００において実行される処理を説明する。図６及び７は、この処理を示すシーケンス図であり、図８は、図６及び７に示す着信処理の動作を示す図である。
【００７０】
ステップＳ２０１〜Ｓ２０７の処理ステップは、図３のＳ１０１〜Ｓ１０７と同様の処理なので、説明を省略する。
【００７１】
ステップＳ２０５の着信要求信号がＶＬＲ／ＭＳＣ１０１からＳＧＳＮ１０２に送信されると、このシーケンスでは、上述のとおりＳＧＳＮ１０２に障害が発生しているので、ＳＧＳＮ１０２は着信要求信号を正常に受信することができない（Ｓ２０８）。この結果、ＳＧＳＮ１０２から移動機呼び出しも実行されず、ＭＳ１０６から呼び出し応答信号もＶＬＲ／ＭＳＣ１０１が受信できないため、ステップＳ２０７で起動した第１タイマ２０２が満了してタイムアウトする（Ｓ２０９）。
【００７２】
続いて、ＶＬＲ／ＭＳＣ１０１において、着信要求送信部２０１により、着信要求をＳＧＳＮ１０２に送信してから所定時間（第１タイマ設定時間）が経過した後でも、着信処理が完了したことを示す呼び出し応答をＭＳ１０６から受信できず、何らかの理由で着信が失敗したものと判断され、着信要求再送部２０３にその旨が送信される。そして、着信要求再送部２０３により、着信要求信号に、ＳＧＳＮ１０２がこの着信要求の受信に応じて着信要求応答を返すことを示すフラグが付加され（Ｓ２１０）、このフラグが付加された着信要求信号がＳＧＳＮ１０２に送信される（Ｓ２１１：着信要求再送信ステップ）。また、ステップＳ２１１の送信処理と同時に、第１タイマ２０２が起動される（Ｓ２１２）と共に、ＳＧＳＮ１０２への着信要求信号の送信時からＳＧＳＮ１０２からの着信要求応答信号の受信時までの所要時間を計数するための第２タイマ２０４が起動される（Ｓ２１３）。
【００７３】
ステップＳ２１１の着信要求信号がＶＬＲ／ＭＳＣ１０１からＳＧＳＮ１０２に送信されると、ステップＳ２０８と同様に、ＳＧＳＮ１０２は着信要求信号を正常に受信することができない（Ｓ２１４）。この結果、ＳＧＳＮ１０２が着信要求信号のフラグ有無を確認する処理も実行されず、ＳＧＳＮ１０２からＶＬＲ／ＭＳＣ１０１へ着信要求応答信号が返信されないため、ステップＳ２１３で起動した第２タイマ２０４が満了してタイムアウトする（Ｓ２１５）。第２タイマがタイムアウトした場合には、図７に示すように、第１タイマも停止される（Ｓ２１６）。
【００７４】
着信要求再送部２０３により、フラグを付加した着信要求をＳＧＳＮ１０２に送信してから所定時間（第２タイマ設定時間）が経過した後でも、着信要求信号をＳＧＳＮ１０２が受信したことを示す着信要求応答信号をＳＧＳＮ１０２から受信できず、ＳＧＳＮ１０２に何らかの障害が発生しているものと判断され、着信処理部２０５にその旨が送信される。そして、着信処理部２０５により、ＭＳ１０６の移動機呼び出し（ページング）が行われ（Ｓ２１７：ページング信号送信ステップ）、ページング信号がＲＮＣ／ＢＴＳ１０７に送信される。ここで、ＳＧＳＮ１０２に障害が発生しており、従来のCombined位置登録処理が実行できないため、ＶＬＲ／ＭＳＣ１０１はＭＳ１０６の通信状況を把握することができず、通信中呼があるか判断できない。そこで、ステップＳ２１７のページング信号では、Non-searching Indicationの設定値を「未設定」としている。また、ステップＳ２１７の送信処理と同時に、第１タイマ２０２が起動される（Ｓ２１８）。
【００７５】
次に、ＲＮＣ／ＢＴＳ１０７により、ステップＳ２１７のページング信号の受信に応じて、このページング信号のNon-searching Indicationの設定値が「未設定」であるのに応じて、ＩＭＳＩ検索が実施され（Ｓ２１９）、呼び出し対象のＭＳ１０６（ユーザＡ）が特定され、このＭＳ１０６が通信中か否かが判断される。そして、この判断結果に応じて適切な呼び出し信号を用いて端末呼び出しが行われる（Ｓ２２０）。より詳細には、ＩＭＳＩ検索により、ＭＳ１０６が通信中でないと判断された場合には、PAGING TYPE１の呼び出し信号が、ＭＳ１０６に対して送出される。また、ＭＳ１０６が通信中であると判断された場合には、PAGING TYPE２の呼び出し信号が、ＭＳ１０６に対して送出される。
【００７６】
ＭＳ１０６では、ＲＮＣ／ＢＴＳ１０７から受信した呼び出し信号に対応可能であるので、呼び出し応答信号がＶＬＲ／ＭＳＣ１０１に送信され（Ｓ２２１）、着信処理が継続される（Ｓ２２２）。
【００７７】
ＶＬＲ／ＭＳＣ１０１では、ＭＳ１０６より呼び出し応答信号を受信するのに応じて、着信処理部２０５により第１タイマが停止され（Ｓ２２３）、着信処理が継続される（Ｓ２２４）。
【００７８】
なお、ＶＬＲ／ＭＳＣ１０１により、ステップＳ２２１の呼び出し応答が第1タイマの設定時間内に受信されなかった場合には、ＶＬＲ／ＭＳＣ１０１の着信処理部２０５が、着信が失敗したものと判断して、この回線交換呼の呼び出し要求に対するエラー応答を呼び出し要求の送信元に返すよう構成してもよい。
【００７９】
ここで、図８に示す本実施形態の着信処理を、図１０を示して上述した従来の着信失敗の状況と比較する。図１０の従来手法では、ＶＬＲ／ＭＳＣ１０１が、ＧＳＮ１０２へ着信要求を送信した（Ｓ２）時点から、所定時間が経過してもＭＳ１０６から呼び出し応答を受信しない場合に、着信処理に何らかの問題が発生したものと判断し、問題の原因を特定しないまま、ＶＬＲ／ＭＳＣ１０１が直接ＲＮＣ／ＢＴＳ１０７にページング信号を送信してＭＳＣ１０６の呼び出しを行っている。これに対し、本実施形態では、上述の場合に、ＶＬＲ／ＭＳＣ１０１が、着信要求を受信した旨を示す着信要求応答を返す処理をＳＧＳＮ１０２に行わせるためのフラグを付加した上で、再度ＳＧＳＮに着信要求信号を再送する（図６及び図８のＳ２１１）。これにより、着信要求応答信号をＳＧＳＮ１０２から所定時間内（第２タイマ設定時間）に受信しなかった場合には、ＳＧＳＮ１０２に障害が発生したものと判断して、速やかに着信処理部２０５による移動機呼び出し（図６及び図８のＳ２１７）に切り替えることができ、ＭＳ１０６への着信処理を迅速に実現することが可能となる。
【００８０】
以上に説明したように、本実施形態に係る移動通信システム１００、ＶＬＲ／ＭＳＣ１０１、ＳＧＳＮ１０２及び移動通信方法によれば、パケット交換呼の発信と回線交換呼の着信が競合してＭＳ１０６への着信に失敗した場合には、ＶＬＲ／ＭＳＣ１０１が着信要求信号に係るＭＳ１０６からの呼び出し応答を受信しないのを契機として、ＶＬＲ／ＭＳＣ１０１の着信要求再送部２０３が、着信要求信号をＳＧＳＮ１０２に再度送信する。この再送された着信要求信号がＳＧＳＮ１０２に受信されたときには、ＭＳ１０６から発信されたパケット交換呼もＳＧＳＮ１０２に到達しており、ＳＧＳＮ１０２の着信処理部３０３は、ＭＳ１０６が通信中であるとＭＳ１０６の通信状態の認識を改めた上で、適切なページング信号（すなわちNon-searching Indication＝searchingと設定されたページング信号）をＲＮＣ／ＢＴＳ１０７に送信することができる。そして、ＲＮＣ／ＢＴＳ１０７はパケット通信中のＭＳ１０６に対して呼び出しが可能となり、この結果、パケット交換呼の発信と回線交換呼の着信が競合した場合においても、ＭＳ１０６への回線交換呼の着信が可能となる。
【００８１】
また、ＶＬＲ／ＭＳＣ１０１の着信要求再送部２０３は、着信要求信号の受信に応じてＳＧＳＮ１０２が応答を返信することを促す情報を含むフラグを付与して送信する。ＳＧＳＮ１０２からこの応答（着信要求応答信号）が受信されない場合に、ＶＬＲ／ＭＳＣ１０１の着信処理部２０５は、ＲＮＣ／ＢＴＳ１０７に対してＭＳ１０６を呼び出すためのページング信号を送信する。これにより、ＶＬＲ／ＭＳＣ１０１は、ＳＧＳＮ１０２からの着信要求応答信号の受信の有無により、ＳＧＳＮ１０２に障害が発生しているか否かを認識することができる。ＳＧＳＮ１０２に障害が発生している場合には、ＳＧＳＮ１０２を介したＭＳ１０６への着信処理を中止し、ＲＮＣ／ＢＴＳ１０７のみを経由する着信処理に変更することができる。この結果、回線交換呼の着信の際にＳＧＳＮ１０２の障害が発生した場合においても、ＭＳ１０６への回線交換呼の着信が可能となる。
【００８２】
また、ＶＬＲ／ＭＳＣ１０１は、着信要求送信部２０１により着信要求信号がＳＧＳＮ１０２へ送信されたときに起動する第１タイマ２０２と、着信要求再送部２０３によりフラグが付与された着信要求信号がＳＧＳＮ１０２へ送信されたときに起動する第２タイマ２０４と、を備え、着信要求再送部２０３は、第１タイマ２０２が満了したときに、ＭＳ１０６から呼び出し応答を受信していない場合に、着信要求信号をＳＧＳＮ１０２へ再送信し、着信処理部２０５は、第２タイマ２０４が満了したときに、ＳＧＳＮ１０２からの応答を受信していない場合に、ＲＮＣ／ＢＴＳ１０７にページング信号を送信する。このため、着信要求信号をＳＧＳＮ１０２に再送信するタイミング、およびＳＧＳＮ１０２を経由した着信処理を中止しＲＮＣ／ＢＴＳ１０７にページング信号を送信するタイミングを、第1タイマ２０２及び第２タイマ２０４により個別に設定することが可能となり、精度良くシステムの状態を識別し、適切な着信処理を行うことが可能となる。
【００８３】
また、第２タイマ２０４の設定時間は、第１のタイマ２０２のものより短いため、ＳＧＳＮ１０２に障害が発生したとの判定を速やかに行うことができ、ＭＳ１０６への回線交換呼の着信を迅速に実現できる。
【００８４】
以上、本発明に係る移動通信システム１００、ＶＬＲ／ＭＳＣ１０１、ＳＧＳＮ１０２及び移動通信方法について好適な実施形態を挙げて説明したが、本発明は上記実施形態に限られるものではない。例えば、着信要求送信部２０１が、着信要求応答を返すことを示すフラグを着信要求に付加した上で、着信要求信号をＳＧＳＮ１０２に送信するよう構成してもよい。この場合、着信要求送信部２０１は、着信要求の送信時に第１タイマ２０２の他に第２タイマ２０４も起動する。そして、第２タイマ２０４が満了してもＳＧＳＮ１０２から着信要求応答を受信しない場合には、着信要求再送部２０３による着信要求の再送を行わずに、着信処理部２０５によるＲＮＣ／ＢＴＳ１０７へのページング信号の送信処理を実施するよう構成してもよい。
【符号の説明】
【００８５】
１００…移動通信システム、１０１…ＶＬＲ／ＭＳＣ（回線交換呼処理ノード）、１０２…ＳＧＳＮ（パケット交換呼処理ノード）、１０３…ＧＭＳＣ（ゲートウェイノード）、１０７…ＲＮＣ／ＢＴＳ（無線制御装置）、２０１…着信要求送信部（着信要求送信手段）、２０２…第１タイマ、２０３…着信要求再送部（着信要求再送信手段）、２０４…第２タイマ、２０５…着信処理部（着信処理手段）、３０２…着信要求応答送信部（応答送信手段）。
【図１】
2011049673.tif 000003
【図２】
2011049673.tif 000004
【図３】
2011049673.tif 000005
【図４】
2011049673.tif 000006
【図５】
2011049673.tif 000007
【図６】
2011049673.tif 000008
【図７】
2011049673.tif 000009
【図８】
2011049673.tif 000010
【図９】
2011049673.tif 000011
【図１０】
2011049673.tif 000012